【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
検出装置を用いて、ユーザの片目または両目の眼球運動に少なくとも部分的に基づいて、前記ユーザの意図を伝えるためのグラフィカルユーザインターフェイスを提供するための方法であって、
前記検出装置を用いて、前記ユーザの片目または両目が第１キーボード上の第１キーに向けられていることを特定するステップと、
前記検出装置を用いて、前記ユーザの片目または両目が前記第１キーから、所定の距離内にない、前記第１キーボードと同じ組のキーを有する第２キーボード上の第２キーに向けられた第１の１つまたは複数の衝動性動眼を特定するステップと、
前記検出装置を用いて、前記第１の１つまたは複数の衝動性動眼に対する前記第２キーの位置に向かう第１の１つまたは複数の補正された衝動性動眼が前記第２キーの位置から前記所定の距離内で完了したことを確認するステップと、
前記ユーザによる前記第２キーの認識を待たずに、前記第１キーおよび前記第２キーの一方または両方に関連する操作を行うステップとを含む、方法。
【請求項２】
前記第２キーボードは、ディスプレイ上に投影された仮想キーボードと、物理オブジェクトとのうち一方である、請求項１に記載の方法。
【請求項３】
前記操作は、前記第１キーに関連する文字を一連の文字に連結することを含む、請求項１または２に記載の方法。
【請求項４】
前記第１キーに関連する文字を連結することは、単語、句、文および数字からなるグループのうちの一つを形成する、請求項３に記載の方法。
【請求項５】
前記第１キーボードおよび前記第２キーボードは、ディスプレイ上で互いに隣接して表示される仮想キーボードである、請求項１〜４のいずれかに記載の方法。
【請求項６】
前記第１キーボードおよび前記第２キーボードは、１つ又は複数の数字、文字、単語、句、選択、メディアグリフ、または特殊記号を含む複数のキーを含む、請求項１〜５のいずれかに記載の方法。
【請求項７】
前記操作は、前記第１キーに割り当てられた記号をディスプレイに表示されるフィールドに追加することを含む、請求項１〜６のいずれかに記載の方法。
【請求項８】
前記検出装置を用いて、前記ユーザの片目または両目が前記第２キーボードに向けられている時に前記第２キーを特定するステップと、
前記検出装置を用いて、前記ユーザの片目または両目が前記第２キーから前記第１キーボードの第３キーに向けられた第２の１つまたは複数の衝動性動眼を特定するステップと、
前記検出装置を用いて、前記第２の１つまたは複数の衝動性動眼に対する第２の１つ又は複数の衝動性動眼が前記第１キーボードの前記第３キーから所定の距離内で完了したことを確認するステップと、
前記ユーザによる前記第１キーボードの前記第３キーの認識を待たずに、前記第３キーおよび前記第２キーのうちの一つ又は両方に関連する第２操作を行うステップとをさらに含む、請求項１〜７のいずれかに記載の方法。
【請求項９】
前記操作は、前記第１キーに少なくとも部分的に基づいて、前記第２キーボードのキー上に形成された記号を修正することを含む、請求項８に記載の方法。
【請求項１０】
前記第２キーボードのキー上に形成された記号の修正は、前記第１キー上に形成された記号に関連付けられない記号を前記第２キーボードの前記キーから省くことを含む、請求項９に記載の方法。
【請求項１１】
前記動作は、前記第１キーに少なくとも部分的に基づいて、前記第２キーボードのキー上に提示されるシンボルを修正することを含む、請求項８に記載の方法。
【請求項１２】
前記第２キーは、作動ターゲットである、請求項１〜１１のいずれかに記載の方法。
【請求項１３】
前記第２キーは、前記ユーザの傍中心窩視界および周辺視界のうち一方に位置する、請求項１〜１２のいずれかに記載の方法。
【請求項１４】
前記第１キーは、ディスプレイ上に表示された仮想キーボードに位置し、
前記第２キーは、前記ディスプレイ上に表示されていない前記ユーザの視野に位置する、請求項１〜１３のいずれかに記載の方法。
【請求項１５】
前記操作は、前記ユーザによる更なる操作に関係なく、前記第１衝動性動眼が前記第１キーから、前記第２キーの前記位置からの所定の距離内に完了したことを確認した直後に行われる、請求項１〜１４のいずれかに記載の方法。
【請求項１６】
前記第１キーボードおよび第２キーボードは、当該キーボードのうちの１つの少なくとも１つのキーに関連付けられる頻繁に使用される機能に対するオフディスプレイ修飾ターゲットを含み、前記方法は、
前記ユーザの一方または両方の目が当該キーボード上の前記第１キーの位置から所定の距離内にあるとき、前記検出装置で識別した後に、当該キーボード上の前記第２キーの最も頻繁に使用される特徴の輝度を変更する、請求項１〜１５のいずれかに記載の方法。
【請求項１７】
前記第２キーボードは、前記第１キーボードと同じ組のキーを同じレイアウトで有しており、
前記第２キーボードは、前記第１キーボードに隣接しており、同じ向きにある、請求項１〜１６のいずれかに記載の方法。
【請求項１８】
キーボードおよび検出装置を用いて、ユーザの片目または両目の眼球運動に少なくとも部分的に基づいて、前記ユーザの意図を伝えるためのグラフィカルユーザインターフェイスを提供するための方法であって、
前記検出装置を用いて、前記ユーザの片目または両目が前記キーボード上の第１キーの位置から所定の距離内に向けられていることを特定するステップを備え、前記キーボードの少なくとも１つのキーは、単一の衝動性動眼を用いてアクティブになり、前記第１キーボードまたは前記第２キーボードの少なくとも一つのキーは、単一の衝動性動眼を用いてアクティブになる一方、前記第１キーボードまたは前記第２キーボードの他のキーは、二つの衝動性動眼を用いてアクティブになり、前記第２キーボードは前記ユーザに対して前記第１キーボードの垂直に隣接して同じ方向に配置されており、前記第２キーボードは、前記第１キーボードと同じレイアウトで同じキーの組を有しており、前記第１キーボードおよび前記第２キーボードのうちの１つ又は複数の最も頻繁に使用されるキーは、前記第１キーボードおよび前記第２キーボードの複数の行のうちの１または複数の中央の行を占めており、
前記検出装置を用いて、前記ユーザの片目または両目が前記キーボード上の前記第１キーから、所定の距離内にない、第２キーに向けられた第１の１つ又は複数の衝動性動眼を特定するステップと、
前記検出装置を用いて、前記１つ又は複数の衝動性動眼に対する前記第２キーの位置に向かう、補正された第１衝動性動眼が前記第２キーの前記位置から所定の距離内で完了したことを確認するステップと、
前記第１キーおよび前記第２キーの一方または両方に関連する操作を行うステップとを含む、方法。
【請求項１９】
前記操作は、前記ユーザによる前記第２キーの認識を待たずに行われる、請求項１８に記載の方法。
【請求項２０】
前記操作は、前記第１キーに関連する文字を、格納された一連の文字に連結することを含む、請求項１８に記載の方法。
【請求項２１】
前記第１キーに関連する文字を連結することは、単語、文および数字からなるグループのうちの一つを形成する、請求項２０に記載の方法。
【請求項２２】
前記第１キーボードおよび前記第２キーボードのうちの少なくとも一つは、前記グラフィカルユーザインターフェイス上に投影される、請求項１８〜２１のいずれかに記載の方法。
【請求項２３】
前記第１キーボードおよび第２キーボードは、当該キーボードのうちの１つの少なくとも１つのキーに関連付けられる頻繁に使用される機能に対するオフディスプレイ修飾ターゲットを含み、前記方法は、
前記ユーザの一方または両方の目が当該キーボード上の前記第１キーの位置から所定の距離内にあるとき、前記検出装置で識別した後に、当該キーボード上の前記第２キーの最も頻繁に使用される特徴の輝度を変更することをさらに含む、請求項１８〜２２のいずれかに記載の方法。
【請求項２４】
ユーザの片眼または両眼の動きに少なくとも部分的に基づいてユーザの意図を決定するグラフィカルユーザインターフェイスであって、
少なくとも第１キーボードを表示するように構成されたプロジェクタと、
検出装置とを備え、前記検出装置は、
ユーザの片目または両目が第１キーボードの第１キーに向けられたときを識別するように構成されており、前記第１キーボードの少なくとも１つのキーは、単一の断続的な目の動きを使用して起動可能であり、前記第１キーボードの他のキーは、２つの断続的な目の動きを使用して起動可能であり、
前記第１キーから、予め定められた距離内にない、第２キーボードの第２キーに向かう前記ユーザの片目または両目の第１の１つまたは複数の断続性運動を識別し、
前記第１の１つまたは複数の断続性運動について前記第２キーの位置に向かう１つまたは複数の修正された断続性運動が、前記第２キーの位置から所定の距離以内に完了したことを確認するように構成されており、
プロセッサを備え、前記プロセッサは、前記ユーザによる第２キーの知覚を待つことなく、前記第１の１つまたは複数の断続性運動について前記１つまたは複数の修正された断続性運動が、前記第２キーの位置から前記所定の距離以内に完了したという確認に応答して、前記第１キーおよび前記第２キーの一方または両方に関連付けられた動作を実行するように構成されている、グラフィカルインターフェイス。
【請求項２５】
前記プロセッサが実行するように構成された動作は、前記第１キーに関連付けられた文字を一連の文字に連結することを含む、請求項２４に記載のグラフィカルユーザインターフェース。
【請求項２６】
前記第１キーボードおよび第２キーボードは、数字、文字、単語、フレーズ、選択、メディアグリフ、または特別文字の表現のうちの１つまたは複数を含む複数のキーを含む、請求項２４または２５に記載のグラフィカルユーザインターフェース。
【請求項２７】
前記第１キーボードおよび第２キーボードは、同一のレイアウトを有する仮想キーボードである、請求項２４〜２６のいずれかに記載のグラフィカルユーザインターフェース。
【請求項２８】
前記検出装置は
前記ユーザの片目または両目が前記第２キーボードに向けられたときに前記第２キーを識別し、
前記第２キーから前記第１キーボードの第３キーに向かう、前記ユーザの片目または両目の第２の１つまたは複数の断続性運動を識別し、
前記第２の１つまたは複数の断続性運動に対する第２の１つまたは複数の修正された断続性運動が、前記第１キーボードの前記第３キーから指定された距離内で完了したことを確認するように構成されており、
前記プロセッサは、前記ユーザによる前記第１キーボードの前記第３キーの知覚を待つことなく、前記第２の１つまたは複数の断続性運動に対する前記第２の１つまたは複数の修正された断続性運動が、前記第１キーボードの前記第３キーから前記指定された距離内で完了したという確認に応答して、前記第３キーおよび前記第２キーの一方または両方に関連付けられた動作を実行するように構成されている、請求項２４〜２７のいずれかに記載のグラフィカルインターフェイス。